(57)【特許請求の範囲】
【請求項１】
作業対象物の各作業工程における複数の査定項目の査定値を、作業対象物の属性と作業工程とに関連付けて格納する格納手段と、
複数の前記査定項目の査定値に基づいて、作業対象物の各作業工程における判定項目の判定値を算出する算出手段と、
前記算出手段により算出された判定値に基づいて、作業対象物又は査定値を抽出する抽出手段と、
前記抽出手段により抽出された作業対象物の査定値及び判定値を表示する表示手段と
を有し、
前記作業工程は、作業対象物を設計する設計工程、作業対象物を製作する製作工程、及び、作業  対象物を保守又はメンテナンスする保守工程を含み、
前記判定項目は、少なくとも、設計工程、製作工程、及び保守工程で同一の、品質、コスト、及び先進性を含み、
前記算出手段は、複数ある前記査定項目の中から特定の査定項目を選出し、選出された査定項目の査定値に基づいて前記判定項目の判定値を算出し、
前記抽出手段は、ユーザにより指定された属性の作業対象物に関して、少なくとも、設計工程、製作工程、及び保守工程の査定値を抽出し、 
前記表示手段は、少なくとも、抽出された設計工程、製作工程、及び保守工程の査定値及び判定値を一覧表示する
情報処理装置。
【請求項２】
前記表示手段は、前記抽出手段により抽出された作業対象物を、複数の作業工程における査定値に基づいて並べ替えて表示する
請求項１に記載の情報処理装置。
【請求項３】
作業対象物が他の作業対象物の一部として流用された場合に、流用された作業対象物の査定値に基づいて、決定された査定値を、他の作業対象物の査定値の一部として決定する流用検知手段
をさらに有し、
前記格納手段は、前記流用検知手段により決定された査定値を、他の作業対象物の査定値として格納する
請求項１に記載の情報処理装置。
【請求項４】
前記査定項目には、少なくとも、作業対象物に関して設定された課題の達成率を示すＤＲ率と、流用することができる割合を示す流用化率とが含まれ、
前記表示手段は、障害があった作業対象物がユーザにより指定された場合に、この作業対象物のＤＲ率及び流用化率を表示する
請求項２に記載の情報処理装置。
【請求項５】
作業対象物の各作業工程における複数の査定項目の査定値を、作業対象物の属性と作業工程とに関連付けてデータベースに格納するステップと、
複数ある前記査定項目の中から特定の査定項目を選出し、選出された査定項目の査定値に基づいて、作業対象物の各作業工程における判定項目の判定値を算出するステップと、
前記データベースに格納される査定値の中から、算出された前記判定値に基づいて、作業対象物又は査定値を抽出する抽出ステップと、
抽出された前記作業対象物の査定値及び判定値を表示する表示ステップと
を有し、
前記作業工程は、作業対象物を設計する設計工程、作業対象物を製作する製作工程、及び、作業対象物を保守又はメンテナンスする保守工程を含み、
前記判定項目は、少なくとも、設計工程、製作工程、及び保守工程で同一の、品質、コスト、及び先進性を含み、
前記抽出ステップは、ユーザにより指定された属性の作業対象物に関して、少なくとも、設計工程、製作工程、及び保守工程の査定値を抽出し、
前記表示ステップは、少なくとも、抽出された設計工程、製作工程、及び保守工程の査定値及び判定値を一覧表示する
情報処理方法。
【請求項６】
作業対象物の各作業工程における複数の査定項目の査定値を、作業対象物の属性と作業工程とに関連付けてデータベースに格納するステップと、
複数ある前記査定項目の中から特定の査定項目を選出し、選出された査定項目の査定値に基づいて、作業対象物の各作業工程における判定項目の判定値を算出するステップと、
前記データベースに格納される査定値の中から、算出された前記判定値に基づいて、作業対象物又は査定値を抽出する抽出ステップと、
抽出された前記作業対象物の査定値及び判定値を表示する表示ステップと
をコンピュータに実行させ、
前記作業工程は、作業対象物を設計する設計工程、作業対象物を製作する製作工程、及び、作業対象物を保守又はメンテナンスする保守工程を含み、
前記判定項目は、少なくとも、設計工程、製作工程、及び保守工程で同一の、品質、コスト、及び先進性を含み、
前記抽出ステップは、ユーザにより指定された属性の作業対象物に関して、少なくとも、設計工程、製作工程、及び保守工程の査定値を抽出し、
前記表示ステップは、少なくとも、抽出された設計工程、製作工程、及び保守工程の査定値及び判定値を一覧表示する
プログラム。
【発明の詳細な説明】
【技術分野】
【０００１】
本発明は、情報処理装置、情報処理方法、及びプログラムに関するものである。
【背景技術】
【０００２】
例えば、特許文献１では、持続可能性の情報および設計戦略をワールドワイドウェブ上の協働的な環境においてユーザに提供することを包含する、方法として開示されている。
【先行技術文献】
【特許文献】
【０００３】
【特許文献１】特表２０１０−５２８３５５号公報
【発明の概要】
【発明が解決しようとする課題】
【０００４】
本発明は、作業工程間の連携を円滑化する情報処理装置を提供することを目的とする。
【課題を解決するための手段】
【０００５】
本発明に係る情報処理装置は、作業対象物の各作業工程における査定値を、作業対象物の属性と作業工程とに関連付けて格納する格納手段と、前記格納手段により格納された査定値の中から、ユーザにより指定された属性に対応する作業対象物の査定値を抽出する抽出手段とを有する。
【０００６】
好適には、前記作業工程には、作業対象物を設計する設計工程、作業対象物を製作する製作工程、及び、作業対象物を保守又はメンテナンスする保守工程を含み、前記抽出手段は、ユーザにより指定された属性の作業対象物に関して、少なくとも、設計工程、製作工程、及び保守工程の査定値を抽出し、前記表示手段は、少なくとも、抽出された設計工程、製作工程、及び保守工程の査定値を一覧表示する。
【０００７】
好適には、前記表示手段は、前記抽出手段により抽出された作業対象物を、複数の作業工程における査定値に基づいて並べ替えて表示する。
【０００８】
好適には、作業対象物が他の作業対象物の一部として流用された場合に、流用された作業対象物の査定値に基づいて、決定された査定値を、他の作業対象物の査定値の一部として決定する流用検知手段をさらに有し、前記格納手段は、前記流用検知手段により決定された査定値を、他の作業対象物の査定値として格納する。
【０００９】
好適には、前記査定項目には、少なくとも、作業対象物に関して設定された課題の達成率を示すＤＲ率と、流用することができる割合を示す流用化率とが含まれ、前記表示手段は、障害があった作業対象物がユーザにより指定された場合に、この作業対象物のＤＲ率及び流用化率を表示する。
【００１０】
好適には、複数の査定項目の査定値に基づいて、作業対象物の各作業工程における判定値を算出する算出手段をさらに有し、前記抽出手段は、前記算出手段により算出された判定値に基づいて、作業対象物又は査定値を抽出する。
【００１１】
本発明に係る情報処理方法は、作業対象物の各作業工程における査定値を、作業対象物の属性と作業工程とに関連付けてデータベースに格納するステップと、前記データベースに格納された査定値の中から、ユーザにより指定された属性に対応する作業対象物の査定値を抽出するステップとを有する。
【００１２】
本発明に係るプログラムは、作業対象物の各作業工程における査定値を、作業対象物の属性と作業工程とに関連付けてデータベースに格納するステップと、
前記データベースに格納される査定値の中から、ユーザにより指定された属性に対応する作業対象物の査定値を抽出するステップとをコンピュータに実行させる。
【発明の効果】
【００１３】
本発明によれば、作業工程間の連携を円滑にし、各作業工程における製品情報を明確化することができる。
【図面の簡単な説明】
【００１４】
【図１】本実施形態に係る製品情報管理システム２の概要を説明する図である。
【図２】本実施形態に係る評価情報記録プログラム４０の構成を説明する図である。
【図３】本実施形態に係る製品情報記録プログラム５０の構成を説明する図である。
【図４】査定判定情報処理Ｓ１０を説明するフローチャートである。
【図５】査定項目１１の構成を例示する図である。
【図６】判定項目１３の構成を例示する図である。
【図７】判定項目１３のスコア表示を例示する図である。
【発明を実施するための形態】
【００１５】
本実施形態の背景と概要を説明する。
本実施形態の製品情報管理システム２は、作業対象物の各作業工程における情報を、属性と、作業対象物の作業工程とに関連付けて格納する。製品情報管理システム２は、格納された情報を包括的に管理することで、ユーザが指定する属性、又は属性に関する作業対象物や作業工程に応じて、適切な情報を提供することができる。
【００１６】
一方で、製品情報管理システム２は、特定の作業を担当したユーザしか把握できない項目内容や詳細情報が記載される場合もあるため、流用する場合や、新規情報を作成した場合に、ユーザによって提供された情報を活用できない可能性があった。
【００１７】
そこで、本実施形態の製品情報管理システム２は、作業対象物の作業工程における情報を数値化し、数値化された情報を、作業対象物の属性と、作業工程とに関連付けて格納する。製品情報管理システム２は、格納された情報を包括的に管理することで製品ライフサイクル管理システムとして機能する。製品情報管理システム２は、作業対象物の各作業工程における情報を数値化することで、どのユーザでも簡易に項目内容を把握することができ、内容を明確化することができる。
【００１８】
以下、本発明の実施形態の構成を、図面を参照して説明する。ただし、本発明の範囲は、図示例に限定されるものではない。
【００１９】
図１は、本実施形態に係る製品情報管理システム２の概要を説明する図である。
図１に例示すように、製品情報管理システム２は、情報総括管理装置６及びクライアント端末８を有する。
情報総括管理装置６は、製品情報などを管理するコンピュータ端末である。本例の情報総括管理装置６は、外部装置（評価情報管理装置４及び製品情報記録装置５）が接続されたサーバ装置であり、製品ライフサイクル管理システム（ＰＬＭシステム）として機能する。
クライアント端末８は、ユーザが操作するコンピュータ端末であり、情報総括管理装置６にアクセスして、製品に関する情報の登録、検索、又は編集を行う。本例のクライアント端末８は、製品の各作業工程における作業現場に設置され、通信機能を有するパーソナルコンピュータである。また、クライアント端末８は、スキャナ（ネットワークスキャナ）、ＰＤＡ、携帯電話、スマートフォン（多機能型携帯電話）、タブレット端末、又は複合機であってもよい。
【００２０】
情報総括管理装置６は、評価情報管理装置４と、製品情報記録装置５とを有する。
評価情報管理装置４は、例えば、後述する評価情報記録プログラム４０がインストールされたコンピュータであり、査定値１０を、作業対象物（製品など）の属性と、作業工程とに関連付けて格納し、格納された査定値１０から判定値１２を算出する。
【００２１】
製品情報記録装置５は、例えば、後述する製品情報記録プログラム５０がインストールされたコンピュータであり、作業対象物を構成する部品の情報を、作業対象物を生産する作業工程に関連付けて記録する。例えば、部品情報は、必要部品の識別情報、及び部品数などである。
【００２２】
次に、図１を用いて、本実施形態に係る製品情報管理システム２の動作を説明する。
図１に例示するように、本例の作業工程には、製品の企画工程、設計工程、製造工程、検査工程、及び保守工程が含まれる。クライアント端末８は、各作業工程にそれぞれ用意される。ユーザは、クライアント端末８を介して情報総括管理装置６にログインする。情報総括管理装置６は、ログインしたユーザにクライアント端末８を介して、検索情報を入力させる。情報総括管理装置６は、ユーザが指定した検索情報に該当する情報を抽出し、抽出された情報を作業工程に関連付けてクライアント端末８に表示させる。
具体的には、情報総括管理装置６は、評価情報管理装置４から、ユーザが指定した作業対象物（製品など）の査定値１０を選択し、選択された査定値１０を属性と、作業工程とに関連付けて、クライアント端末８に一覧表示させる。また、情報総括管理装置６は、査定値１０に基づいて判定値１２を算出し、算出された判定値１２をクライアント端末８に表示させる。
【００２３】
図２は、本実施形態に係る評価情報記録プログラム４０の構成を説明する図である。
図２に例示すように、評価情報記録プログラム４０は、査定情報保存部４００、入力受付部４１０、格納部４２０、算出部４３０、抽出部４４０、判定情報保存部４５０、表示部４６０、及び流用検知部４７０を有する。
【００２４】
図５は、査定項目１１の構成を例示する図である。
査定情報保存部４００は、作業対象物を構成する部品に関する情報であって、作業対象物の各作業工程における査定値１０を、作業対象物の属性と作業工程とに関連付けた査定情報を保存する。具体的には、査定情報保存部４００は、後述する格納部４２０により査定情報を格納される。査定情報保存部４００は、後述する入力受付部４１０により査定項目１１に基づいて入力された査定値１０を、属性と、後述する作業工程格納部５１０に格納される作業工程とに関連付けた査定情報を保存する。
ここで、図５に例示するように、査定項目１１は、例えば、等級や合否などを判断するために用いられる項目であり、少なくとも、設定された課題の達成率を示すＤＲ率と、流用することができる割合を示す流用化率とが含まれる。ここで、本例のＤＲ率は、デザインレビューの達成率を示す。また、査定項目１１は、これに限定するものではなく、記載事項を適宜に変更できる。
また、査定値１０は、査定項目１１の項目内容に基づいた査定を数値化したものである。
【００２５】
入力受付部４１０は、ユーザにより作業対象物に関する情報の入力を受け付ける。入力受付部４１０は、作業対象物に関する査定情報を受け付ける。具体的には、入力受付部４１０は、ユーザにより入力された製品又はその一部に関する査定値１０を後述する格納部４２０に格納するよう通知する。
【００２６】
格納部４２０は、作業対象物の各作業工程における査定値１０を、作業対象物の属性と、作業工程とに関連付けて格納する。具体的には、格納部４２０は、入力受付部４１０により査定項目１１に基づいて入力された査定値１０を、属性と、後述する作業工程格納部５１０に格納される作業工程とに関連付けて、査定情報保存部４００に格納する。
ここで、属性には、ハードウエア関連及びソフトウエア関連が含まれ、本例では、ハードウエア関連には、筐体などを含む機械分野、及び、電子回路などを含む電気分野と、ソフトウエア関連には、システム及びプログラムなどを含む情報分野とが含まれる。
【００２７】
図６は、判定項目１３の構成を例示する図である。
図７は、判定項目１３のスコア表示を例示する図である。
算出部４３０は、複数の査定項目１１の査定値１０に基づいて、作業対象物の各作業工程における判定値１２を算出する。具体的には、算出部４３０は、査定情報保存部４００に保存される各作業工程における属性、又は、属性に関する製品又はその一部に対応する査定値１０に基づいて判定値１２を算出する。さらに具体的には、算出部４３０は、属性、又は、属性に関する製品又はその一部に対応する査定項目１１を集約した判定項目１３と、判定項目１３に基づいて判定した判定値１２を作業工程毎に算出し、算出された判定値１２を後述する判定情報保存部４５０に保存する。
ここで、図６及び図７に例示するように、判定値１２は、判定項目１３の項目内容に基づいて数値化したものである。判定値１２は、評価結果の記載方法をこれに限定するものではなく適宜に選択できる。また、判定項目１３は、少なくとも品質、コスト、及び汎用性を含み、複数ある査定項目１１の中から特定の査定項目１１を選出し、選出された査定項目１１を集約して評価する。具体的には、判定項目１３は、少なくとも、ＤＲ率を含む品質と、少なくとも、流用化率を含むコストと、少なくとも流用頻度を含む汎用性とが含まれる。
【００２８】
抽出部４４０は、格納部４２０により格納される査定値１０の中から、ユーザにより指定された属性に対応する査定値１０を抽出する。  具体的には、抽出部４４０は、格納部４２０により格納された査定値１０を属性と作業工程に関連付けた査定情報を査定情報保存部４００から抽出する。抽出部４４０は、査定情報保存部４００に保存される査定情報の中から、ユーザにより指定された属性、又は、属性に関する製品又はその一部に基づいて査定項目１１と、査定項目１１に基づいて査定した査定値１０と、作業工程とを抽出する。抽出部４４０は、抽出した査定情報を後述する表示部４６０に表示するよう通知する。
また、抽出部４４０は、ユーザに指定された査定値１０、属性、及び作業工程を関連付けた査定情報に基づいて判定値１２を抽出する。具体的には、抽出部４４０は、査定情報保存部４００に保存される査定情報に基づいて、判定情報保存部４５０に保存される判定情報を抽出する。抽出部４４０は、抽出された判定情報から判定値１２を抽出し、抽出された判定値１２を表示部４６０に表示するよう通知する。
また、抽出部４４０は、算出部４３０により算出された判定値１２に基づいて、作業対象物又は査定値１０の抽出を行う。具体的には、抽出部４４０は、算出部４３０により算出された査定情報保存部４００に保存される査定情報に基づいて判定値１２を抽出する。また、抽出部４４０は、算出された判定値１２に基づいて、後述する製品情報保存部５００に保存される該当しうる製品又はその一部を抽出する。
また、抽出部４４０は、ユーザに指定された製品又はその一部に障害がある場合に、指定された製品又はその一部のＤＲ率及び流用化率を表示部４６０に表示するよう通知する。
【００２９】
判定情報保存部４５０は、算出部４３０により複数の査定項目１１の査定値１０に基づいて、作業対象物の各作業工程における判定値１２が算出された情報を保存する。具体的には、判定情報保存部４５０は、算出部４３０により算出された査定情報保存部４００に保存される製品又はその一部の作業工程毎にある査定項目１１、及び査定値１０に基づいて、各作業工程の判定項目１３に基づいた判定値１２を保存する。判定情報保存部４５０は、算出された各作業工程の判定項目１３に基づいた判定値１２を保存する。
【００３０】
表示部４６０は、抽出部４４０により抽出された作業対象物を、複数の作業工程における査定値１０に基づいて並べ替えて表示する。具体的には、表示部４６０は、抽出部４４０により抽出された査定情報保存部４００に保存される査定情報の中から、ユーザにより指定された属性、又は、属性に関する製品又はその一部に基づく査定値１０と、作業工程とを関連付けた査定情報を表示させる。表示部４６０は、抽出された査定情報をクライアント端末８に並べ替えて表示させる。
また、表示部４６０は、ユーザにより指定された属性の製品又はその一部に関して、少なくとも、設計工程、製造工程、及び保守工程の抽出された査定値１０を一覧表示させる。表示部４６０は、ユーザが特に表示方法を指定しない場合に、例えば、製品又はその一部に関する査定情報を、作業工程の時系列で表示させる。また、表示部４６０は、ユーザが査定項目１１にある特定の項目を指定した場合に、指定された項目の評価値、又は総合した評価値を昇降順に表示させる。
また、表示部４６０は、査定情報を表示させる場合と同様に判定情報も表示させることができる。表示部４６０は、抽出部４４０により判定情報保存部４５０に保存される情報の中から、ユーザに指定された属性、又は、属性に関する製品又はその一部に基づく判定情報を抽出し、抽出された判定情報を表示させる。
また、表示部４６０は、抽出部４４０により障害があった作業対象物がユーザにより指定された場合に、この作業対象物のＤＲ率、及び流用化率が表示される。具体的には、表示部４６０は、抽出部４４０により障害のある製品又はその一部をユーザが指定した場合に、指定された製品又はその一部のＤＲ率、及び流用化率を表示する通知を受けてクライアント端末８に表示させる。
【００３１】
流用検知部４７０は、作業対象物が他の作業対象物の一部として流用された場合に、流用された作業対象物の査定値１０に基づいて、決定された査定値１０を、他の作業対象物の査定値１０の一部として決定する。具体的には、流用検知部４７０は、入力受付部４１０により受け付けた査定値１０に関する製品又はその一部の査定情報と、一致する査定情報を査定情報保存部４００から検索する。流用検知部４７０は、一致する査定情報が存在する場合に、製品又はその一部に関する査定情報を取得して、査定情報に含まれる査定値１０を入力受付部４１０に通知する。
さらに、流用検知部４７０は、ユーザにより入力される査定値１０に関する製品又はその一部の判定情報と一致する判定情報を、判定情報保存部４５０から検索する。流用検知部４７０は、一致する判定情報が存在する場合に、製品又はその一部の判定値１２を判定情報保存部４５０から取得する。流用検知部４７０は、取得した判定情報に含まれる判定値１２を用いるよう算出部４３０に通知する。
また、流用検知部４７０は、査定情報保存部４００又は判定情報保存部４５０により流用した情報が障害のある製品又はその一部である場合に、表示部４６０に製品又はその一部のＤＲ率及び流用化率を表示するよう通知する。
【００３２】
図３は、本実施形態に係る製品情報記録プログラム５０の構成を説明する図である。
図３に例示するように、製品情報記録プログラム５０は製品情報保存部５００と、作業工程格納部５１０とを有する。
【００３３】
製品情報保存部５００は、作業対象物を構成する構成内容を保存する。具体的には、製品情報保存部５００は、製品又はその一部を構成する部品の情報を保存する。製品情報保存部５００は、少なくとも部品情報として、必要部品、及び部品数を保存する。
【００３４】
作業工程格納部５１０は、作業対象物の作業工程を保存する。具体的には、作業工程格納部５１０は、製品情報保存部５００により保存される製品又はその一部に関する作業工程を保存する。より具体的には、作業工程格納部５１０は、製品又はその一部を構成するための作業工程を、少なくとも、企画工程、設計工程、及び製造工程、に分類し、分類される作業工程に製品情報保存部５００により保存される製品又はその一部の部品情報を対応付けて格納する。
【００３５】
図４は、査定判定情報処理Ｓ１０を説明するフローチャートである。
図４に例示すように、ステップ１００（Ｓ１００）において、ユーザは、クライアント端末８を介して情報総括管理装置６にログインする。
【００３６】
ステップ１０５（Ｓ１０５）において、入力受付部４１０は、表示部４６０に対して情報総括管理装置６にログインしたユーザに検索対象を特定するための選択肢を表示させる通知をする。入力受付部４１０は、抽出部４４０により情報総括管理装置６に格納される製品又はその一部の査定情報、及び、判定情報を抽出するための検索条件を、表示部４６０に通知する。抽出部４４０は、例えば、属性、又は属性に関する製品又はその一部を検索対象とする。
【００３７】
ステップ１１０（Ｓ１１０）において、入力受付部４１０は、入力された検索条件を抽出部４４０に通知する。抽出部４４０は入力された検索条件に基づいて、査定情報保存部４００に保存される査定情報である、査定値１０と、作業工程とを抽出する。
【００３８】
ステップ１１５（Ｓ１１５）において、表示部４６０は、抽出部４４０により抽出した査定情報を表示するよう通知を受け取りクライアント端末８に表示させる。表示部４６０は、ユーザが特に表示方法を指定しない場合に、例えば、製品又はその一部に関する査定情報を、作業工程の時系列で表示させる。（図５参照）
【００３９】
ステップ１２０（Ｓ１２０）において、抽出部４４０は、ユーザが指定した査定情報に基づいて、判定値１２を抽出する。具体的には、抽出部４４０は、ユーザが指定した査定情報保存部４００に保存される査定情報に基づいて、判定情報保存部４５０より抽出した判定情報の判定値１２を表示部４６０に表示するよう通知する。
【００４０】
ステップ１２５（Ｓ１２５）において、表示部４６０は、抽出部４４０により抽出した判定情報を表示するよう通知を受け取り、クライアント端末８に表示させる。表示部４６０は、ユーザが特に表示方法を指定しない場合に、例えば、製品又はその一部に関する査定情報を、作業工程の時系列で表示させる。（図６、図７参照）
【００４１】
以上、説明したように、本実施形態の製品情報管理システム２は、製品又はその一部を査定値１０と属性と作業工程と関連付けることで、格納された情報を包括的に管理することができるため、ユーザが指定する属性、又は属性に関する製品又はその一部や作業工程に応じて、適切な情報を共有することができる。製品情報管理システム２は、各作業工程の査定内容を数値化することで異なる作業工程を担当するユーザでも簡易に内容を把握することができる。また、製品情報管理システム２は、査定値１０に基づいて判定値１２を算出し、算出された判定内容を数値で表示することで総合評価を簡易に把握することができる。
【００４２】
また、製品情報管理システム２は、製品又はその一部を作業工程毎に査定値１０と判定値１２とを数値化することにより良否判断を客観的に判断でき、更なる改善や、新たに製作する製品又はその一部に用いる部品を選定しやすくなる。
【００４３】
また、製品情報管理システム２は、査定情報を属性と作業工程とに関連付けて保存し、保存された査定情報に基づいて判定情報を算出するため、問題の生じた作業工程や製品又はその一部の部品の評価値を調べることで、原因を特定することができるため改善方法の特定に役立つほか、原因発見の時間短縮にもつながる。
【００４４】
また、製品情報管理システム２は、製品又はその一部の部品を流用した場合でも、流用した部品の数値を流用先の部品の数値に流用することができ、関連情報や流用元の情報を検索しやすくなる。
【００４５】
以上、本発明に係る実施形態について説明したが、これらに限定されるものではなく、発明の趣旨を逸脱しない範囲内において、種々の変更、追加等が可能である。
次に、上記実施形態の変形例を説明する。
本実施形態では、査定判定情報処理Ｓ１０において、査定情報と判定情報を順に表示しているが、これに限定するものではなく、表示するか否か選択するよう条件判断を設けて、必要に応じて表示するように変更してもよい。
【符号の説明】
【００４６】
２    製品情報管理システム
４    評価情報管理装置
５    製品情報記録装置
６    情報総括管理装置
８    クライアント端末
１０    査定値
１１    査定項目
１２    判定値
１３    判定項目
４０    評価情報記録プログラム
４００    査定情報保存部
４１０    入力受付部
４２０    格納部
４３０    算出部
４４０    抽出部
４５０    判定情報保存部
４６０    表示部
４７０    流用検知部
５０    製品情報記録プログラム
５００    製品情報保存部
５１０    作業工程格納部
【図１】
0005830764.tif 000002
【図２】
0005830764.tif 000003
【図３】
0005830764.tif 000004
【図４】
0005830764.tif 000005
【図５】
0005830764.tif 000006
【図６】
0005830764.tif 000007
【図７】
0005830764.tif 000008